(57)【要約】【課題】スイッチの感度を良くし、人体に接触するとすぐに検知し、人体に大きな力が掛からないようにした接触型安全センサを提供する。【解決手段】相対向した２枚の電極板５，９をスペーサ７を介することによって間隙を有する状態で配置してなる角型接触センサ１であって、押圧時に前記２枚の電極板が接触することにより電流が流れる角部３を有する角型接触センサ１において、該２枚の電極板が角部３で連続し、該角部３で押圧される側の電極板が湾曲自在であること角型接触センサ１である。【選択図】        図１
2004355946.tif 000002
【特許請求の範囲】
【請求項１】
相対向した２枚の電極板をスペーサを介することによって間隙を有する状態で配置してなる角型接触センサであって、押圧時に前記２枚の電極板が接触することにより電流が流れる角部を有する角型接触センサにおいて、該２枚の電極板が角部で連続し、該角部で押圧される側の電極板が湾曲自在であることを特徴とする角型接触センサ。
【請求項２】
前記電極板が可撓性を有する請求項１に記載の角型接触センサ。
【請求項３】
前記電極板が可撓性を有する樹脂フィルムを基材とし、該基材上に銀ペースト又は銅ペーストを印刷し、さらにその上にカーボンを印刷したものである請求項１又は２に記載の角型接触センサ。
【発明の詳細な説明】
【０００１】
【発明の属する技術分野】
本発明は、医療用Ｘ線検査装置のＸ線検出部に取り付けられ、人体に接触した場合、検知し、人体に大きな力が掛からないようにした接触型安全センサに関する。
【０００２】
【従来の技術】
従来の接触センサとしては、相対向した２枚の電極板を間隙を有する状態で配置してなるスイッチ本体を被覆体で包囲固定したものが知られている。（実用新案登録文献１）
【０００３】
【実用新案登録文献１】
実開平５−１１３０号公報
【０００４】
従来品は図６から図８に示すように、それぞれ４面のスイッチ構造体に分割され、角張った隅部において下電極板は銅板で、上電極板は平編み線を銅板にハンダ付けした平編み線で隣り合うスイッチ構造体同士を連結していた。
【０００５】
【発明が解決しようとする課題】
この方法では、側面に斜め方向から人体が接触した場合、スイッチの感度が悪く、人体に損害を与える恐れがあった。また、分割構造であるので、これらを接続するのに工数が掛かり、安価に製造できなかった。
【０００６】
本発明は上記の点に鑑みてなされたものであり、スイッチの感度を良くし、人体に接触するとすぐに検知し、人体に大きな力が掛からないようにした接触型安全センサを提供することを目的とするものである。
【０００７】
【課題を解決するための手段】
本発明は、相対向した２枚の電極板をスペーサを介することによって間隙を有する状態で配置してなる角型接触センサであって、押圧時に前記２枚の電極板が接触することにより電流が流れる角部を有する角型接触センサにおいて、該２枚の電極板が角部で連続し、該角部で押圧される側の電極板が湾曲自在である角型接触センサにある。
【０００８】
また請求項１に記載の発明によると、該２枚の電極板が角部で連続し、該角部で押圧される側の電極板が湾曲自在である角型接触センサであることから、角部に力が掛かったときに角部の電極板が湾曲可能となり、折り曲げた角部にある押圧された電極板が小さな力で対向している電極板に接触することができ、センサの感度が上がる。
【０００９】
請求項２に記載の発明は、前記電極板が可撓性を有する請求項１に記載の角型接触センサにある。
【００１０】
請求項２に記載の発明によると、前記電極板が可撓性を有する請求項１に記載の角型接触センサであることから、角部の電極板がより折り曲げ易くなり、請求項１よりもさらに折り曲げた角部の電極板が小さな力で対向している電極板に接触することができ、よりセンサの感度が上がる。
【００１１】
請求項３に記載の発明は、前記電極板が可撓性を有する樹脂フィルムを基材とし、該基材上に銀ペースト又は銅ペーストを印刷し、さらにその上にカーボンを印刷したものである請求項１又は２に記載の角型接触センサにある。
【００１２】
請求項３に記載の発明は、前記電極板が可撓性を有する樹脂フィルムを基材とし、該基材上に銀ペースト又は銅ペーストを印刷し、さらにその上にカーボンを印刷したものである請求項１又は２に記載の角型接触センサであることから、電極板が軽量になると共に、耐摩耗性も有する。
【００１３】
【発明の実施の形態】
以下、本発明の実施の形態を説明する。
図２は、本発明の角型接触センサの概略外観図である。図１は、図２の角型接触センサの角部を拡大した概略図である。図３は本発明の角型接触センサを上面から見た図、図４は本発明の角型接触センサを側面から見た図である。又、図５は本発明の角型接触センサの上電極板と下電極板を分離した状態を示した図である。
【００１４】
図５から、本発明の角型接触センサは、上電極板５と下電極板９とからなっており、上電極板５及び下電極板９は、基材１１の上に銀ペースト又は銅ペーストを印刷し、さらにその上にカーボンを印刷している。基材１１の材質としては、ポリエチレンテレフタレートフィルム、塩化ビニルフィルム、ポリアミドフィルム、ポリエチレンフィルム、ポリエステルフィルム、ポリイミドフィルムが好適に使用される。
【００１５】
上電極板５及び下電極板９の厚さは、０．０１〜０．２ｍｍが好ましい。本発明の電極板には、上記基材１１上に銀ペースト又は銅ペーストを印刷しただけのものも含まれるが、耐摩耗性向上の為には、前記銀ペースト又は銅ペーストの上にさらにカーボンを印刷したものを使用することが好ましい。
【００１６】
又、スペーサ７には基材１１と同様、ポリエチレンテレフタレートフィルム、塩化ビニルフィルム、ポリアミドフィルム、ポリエチレンフィルム、ポリエステルフィルム、ポリイミドフィルムが好適に使用され、その厚さは０．０２５〜０．５ｍｍが好ましい。しかし、絶縁体で塑性変形しにくいものであれば特に材質はこだわらない。
【００１７】
角型接触センサ１の作用としては、外力が上電極板５に掛かった場合に、スペーサが歪み下電極板９と接触することによって電流が流れるスイッチの役目をするわけであるが、スペーサ７は角部３以外は、接着剤を塗布し、上電極板５と下電極板９の間で固定されているが、角部３においては、スペーサ７は少なくとも押圧される側の上電極板５に当接する部分には接着剤が塗布されておらず、スペーサ７の存在に関わらず上電極板５は湾曲自在となっている。従って、角部３に力が掛かったときにスペーサ７部位の上電極板５が湾曲可能となり、湾曲した上電極板５が小さな力で対向している下電極板９に接触することができ、センサの感度が上がる。
【００１８】
【実施例】
次に、本発明を実施例によって具体的に説明する。
（実施例）
ポリエチレンテレフタレートフィルム上に銀ペーストを印刷し、さらにその上にカーボンを印刷して上電極板を作製した。さらに同様にポリエチレンテレフタレートフィルム上に銀ペーストを印刷、さらにその上にカーボンを印刷して下電極板を作製した。そして、上電極板と下電極板の間にスペーサとして絶縁性樹脂フィルムであるポリエステル樹脂を設置した。このとき角型接触センサの平面部ではスペーサに接着剤を塗布し上電極板と下電極板との間で固定した。一方角部においては、スペーサを下電極板だけに接着し、上電極板が湾曲可能とした。そして、この角型接触センサを用いて角部を縦２０ｍｍ、横３０ｍｍの樹脂製板を取り付けたフォースゲージで押していき、電気抵抗値を測定し、電気抵抗値が２００Ω以下になったときの力を計測した。その結果を表１に示す。
【００１９】
（従来例）
実施例と同じくポリエチレンテレフタレートフィルム上に銀ペーストを印刷し、さらにその上にカーボンを印刷して上電極板を作製した。さらに同様にポリエチレンテレフタレートフィルム上に銀ペーストを印刷し、さらにその上にカーボンを印刷して下電極板を作製した。そして、上電極板と下電極板との間にスペーサとして絶縁性樹脂であるポリエステル樹脂を設置した。角型接触センサの表面部ではスペーサに接着剤を塗布し上電極板と下電極板の間で固定した。そして、この構造体を４面作製し、４面を接続する為に下電極板は銅板で、上電極板は平編み線を銅板にハンダ付けした平編み線で隣り合うスイッチ構造体同士を連結した。そして、この角型接触センサを用いて角部を縦２０ｍｍ、横３０ｍｍの樹脂板を取り付けたフォースゲージで押していき、電気抵抗値を測定し、電気抵抗値が２００Ω以下になったときの力を計測した。その結果を表１に示す。
【００２０】
【表１】
2004355946.tif 000003
【００２１】
【発明の効果】
上記のように、本発明は、２枚の電極板が角部で連続し、該角部で押圧される側の電極板が湾曲自在であることを特徴とする角型接触センサであることから、角部に力が掛かったときに角部の電極板が湾曲可能となり、折り曲げた角部にある押圧された電極板が小さな力で対向している電極板に接触することができ、センサの感度が上がるという効果が有る。さらに、検出部分が人体に接触した場合、早く装置が止まり、なおかつ人体への衝撃が少なくて済む。又、分割したスイッチ構造体を接続する必要が無くなり、信頼性が向上すると共に、安価に製造することができる効果が有る。
【００２２】
請求項２に記載の発明によると、前記電極板が可撓性を有する請求項１に記載の角型接触センサであることから、角部の電極板がより折り曲げ易くなり、請求項１よりもさらに折り曲げた角部の電極板が小さな力で対向している電極板に接触することができ、よりセンサの感度が上がるという効果がある。
【００２３】
請求項３に記載の発明によると、前記電極板が可撓性を有する樹脂フィルムを基材とし、該基材上に銀ペースト又は銅ペーストを印刷し、さらにその上にカーボンを印刷したものである請求項１又は２に記載の角型接触センサであることから、電極板が軽量になると共に、耐摩耗性も有するという効果が有る。
【図面の簡単な説明】
【図１】図２の角型接触センサの角部を拡大した概略図である。
【図２】本発明の角型接触センサの概略外観図である。
【図３】本発明の角型接触センサを上面から見た図である。
【図４】本発明の角型接触センサを側面から見た図である。
【図５】本発明の角型接触センサの上電極板と下電極板を分離した状態を示した図である。
【図６】従来の角型接触センサの角部を示した図である。
【図７】従来の角型接触センサを上面から見た図である。
【図８】従来の角型接触センサを側面から見た図である。
【符号の説明】
１  角型接触センサ
３  角部
５  上電極板
７  スペーサ
９  下電極板
１１  基材
１３  側面
１５  上面
【図１】
2004355946.tif 000004
【図２】
2004355946.tif 000005
【図３】
2004355946.tif 000006
【図４】
2004355946.tif 000007
【図５】
2004355946.tif 000008
【図６】
2004355946.tif 000009
【図７】
2004355946.tif 000010
【図８】
2004355946.tif 000011